(57)【要約】【課題】スピーカシステムの存在自体を感じさせない、極めて簡易に構成されたエンクロージャを用いて、ホーン型且つ全指向型のスピーカシステムを提供する。【解決手段】スピーカユニットの開口部枠に沿って取り付け可能な外枠であって、該外枠の中心と、スピーカユニットの開口部の発声方向の中心軸とが一致するように取り付け可能な外枠部と、長手辺長が外枠部の周囲から中心までの距離よりも短い、長方形状の複数の平面板を用いて、該平面板の一方の端が外枠部の周囲内側に取り付けられ、他方の端が中心軸へ向かうように放射方向に向けられた複数の拡散平面板とを有する。拡散平面板は、スピーカユニットの発声方向に対して所定の拡散角度を持って、傾斜して配置される。【選択図】図１
2013021575.tif 000002
【特許請求の範囲】
【請求項１】
スピーカシステム用の拡散器であって、
スピーカユニットの開口部枠に沿って取り付け可能な外枠であって、該外枠の中心と、前記スピーカユニットの開口部の発声方向の中心軸とが一致するように取り付け可能な外枠部と、
長手辺長が前記外枠部の周囲から中心までの距離よりも短い、長方形状の複数の平面板を用いて、該平面板の一方の端が前記外枠部の周囲内側に取り付けられ、他方の端が前記中心軸へ向かうように放射方向に向けられた複数の拡散平面板と
を有し、
前記拡散平面板は、前記スピーカユニットの発声方向に対して所定の拡散角度を持って、傾斜して配置されることを特徴とするスピーカシステム用の拡散器。
【請求項２】
前記拡散平面板は、前記中心軸へ向かう他方の端について、各拡散平面板同士が接触しないように配置されることを特徴とする請求項１に記載のスピーカシステム用の拡散器。
【請求項３】
前記拡散平面板における前記中心軸へ向かう他方の端について、各拡散平面板同士の間に挟んで固定することを特徴とする請求項２に記載のスピーカシステム用の拡散器。
【請求項４】
前記拡散平面板における前記スピーカユニット側向きの全面に、木材又はＭＤＦ(Medium Density Fiber-Board)の薄板が接着されていることを特徴とする請求項１から３のいずれか１項に記載のスピーカシステム用の拡散器。
【請求項５】
前記スピーカシステムの音の正面波の指向性に応じて、前記拡散平面板の長手辺長が決定されるものであって、
音の正面波の指向性を大きくすると共に音の拡散側面波を小さくする場合、前記拡散平面板の長手辺長を短くし、
音の正面波の指向性を小さくすると共に音の拡散側面波を大きくする場合、前記拡散平面板の長手辺長を長くする
ことを特徴とする請求項１から４のいずれか１項に記載のスピーカシステム用の拡散器。
【請求項６】
前記外枠部には、中間枠部を介して、前記スピーカユニットの開口部枠に取り付け可能であって、
前記中間枠部は、
筒軸方向に向かって所定長の幅を有し、
一方の端の外周が、前記外枠部の外周に沿ったものであり、他方の端の外周が、前記スピーカユニットの開口部枠に沿ったものであり、
前記外枠部の外周は、前記スピーカユニットの開口部枠よりも大きいか又は等しい
ことを特徴とする請求項１から５のいずれか１項に記載のスピーカシステム用の拡散器。
【請求項７】
前記中間枠部の材質は、真鍮又は砲金であることを特徴とする請求項６に記載のスピーカシステム用の拡散器。
【請求項８】
前記拡散平面板の材質は、真鍮であることを特徴とする請求項１から７のいずれか１項に記載のスピーカシステム用の拡散器。
【請求項９】
請求項１から８のいずれか１項に記載のスピーカシステム用の拡散器の製造方法であって、
長手辺長が前記外枠部の周囲長と一致する長さであり、短手辺長が前記拡散平面板の長手辺長と一致する長さである長方形状の平面板を用いて、
前記平面板の第１の長手辺から、第２の長手辺へ向かって、前記拡散平面板の長手辺長だけ、該拡散平面板の短手辺長の幅で、短冊状に切り込みを入れる第１のステップと、
全ての短冊を、同一の角度に傾斜するべく曲げる第２のステップと、
前記スピーカユニットの開口部枠に沿って曲げる第３のステップと
を有することを特徴とするスピーカシステム用の拡散器の製造方法。
【請求項１０】
第１のステップについて、前記短冊状の切り込みは、前記平面板の第１の長手辺から直角方向へ、又は、斜め方向へ、入れられることを特徴とする請求項９に記載のスピーカシステム用の拡散器の製造方法。
【発明の詳細な説明】
【技術分野】
【０００１】
本発明は、スピーカシステム（スピーカ装置）における音の指向性を拡散させる技術に関する。
【背景技術】
【０００２】
従来、スピーカシステムは、一般に直方体形状のエンクロージャに、スピーカユニットが取り付けられたものである。そのために、エンクロージャに取り付けられたスピーカユニットの前面の向きに、音の指向性を持つ。これに対し、室内のどの位置でもほぼ均質な音が得られる全指向型のスピーカシステム（例えば特許文献１、２及び３参照）がある。全指向型のスピーカシステムの構造としては、スピーカユニットを上向き又は下向きにし、そのスピーカユニットの前面にコーン型の反射板等を設置する。この反射板を伝った音が、スピーカユニットから全方向に拡散させる。これによって、特定の向き（一般にスピーカユニットの正面の向き）への指向性を無くす。
【先行技術文献】
【特許文献】
【０００３】
【特許文献１】特開平５−１４５９８３号公報
【特許文献２】特開２００４−０７２１４０号公報
【特許文献３】特開２００４−３４３２２９号公報
【発明の概要】
【発明が解決しようとする課題】
【０００４】
しかしながら、全指向型のスピーカシステムによれば、そのエンクロージャの形状によって全指向性を確保しようとするために、その形状も一般的に複雑且つ特定のものとならざるを得ない。その特有の形状から、スピーカシステム自体の製造コストも高くなる傾向がある。
【０００５】
現在のスピーカシステムは、ステレオ方式を採用しており、人間の左右のそれぞれに耳に伝える音を微妙に異なるようにすることによって、臨場感のある音を再生している。しかしながら、そもそも「音」とは、一点の場所から全方位へ放射状に広がるものである。即ち、自然に近い音を再現するためには、１つのスピーカシステムから発声された音を、全方位へ放射状に広がるように拡散させることが好ましい。
【０００６】
そこで、本発明は、スピーカシステム自体の製造コストを高くすることなく、全指向的に音を拡散させることができるスピーカシステムを提供することを目的とする。
【課題を解決するための手段】
【０００７】
本発明によれば、スピーカシステム用の拡散器であって、
スピーカユニットの開口部枠に沿って取り付け可能な外枠であって、該外枠の中心と、スピーカユニットの開口部の発声方向の中心軸とが一致するように取り付け可能な外枠部と、
長手辺長が外枠部の周囲から中心までの距離よりも短い、長方形状の複数の平面板を用いて、該平面板の一方の端が外枠部の周囲内側に取り付けられ、他方の端が中心軸へ向かうように放射方向に向けられた複数の拡散平面板と
を有し、
拡散平面板は、スピーカユニットの発声方向に対して所定の拡散角度を持って、傾斜して配置されることを特徴とする。
【０００８】
本発明のスピーカシステム用の拡散器によれば、散平面板は、中心軸へ向かう他方の端について、各拡散平面板同士が接触しないように配置されることも好ましい。
【０００９】
本発明のスピーカシステム用の拡散器によれば、拡散平面板における中心軸へ向かう他方の端について、各拡散平面板同士の間に挟んで固定することも好ましい。
【００１０】
本発明のスピーカシステム用の拡散器によれば、拡散平面板におけるスピーカユニット側向きの全面に、木材又はＭＤＦ(Medium Density Fiber-Board)の薄板が接着されていることも好ましい。
【００１１】
本発明のスピーカシステム用の拡散器によれば、
スピーカシステムの音の正面波の指向性に応じて、拡散平面板の長手辺長が決定されるものであって、
音の正面波の指向性を大きくすると共に音の拡散側面波を小さくする場合、拡散平面板の長手辺長を短くし、
音の正面波の指向性を小さくすると共に音の拡散側面波を大きくする場合、拡散平面板の長手辺長を長くすることも好ましい。
【００１２】
本発明のスピーカシステム用の拡散器によれば、外枠部には、中間枠部を介して、スピーカユニットの開口部枠に取り付け可能であって、
中間枠部は、
筒軸方向に向かって所定長の幅を有し、
一方の端の外周が、外枠部の外周に沿ったものであり、他方の端の外周が、スピーカユニットの開口部枠に沿ったものであり、
外枠部の外周は、スピーカユニットの開口部枠よりも大きいか又は等しい
ことも好ましい。
【００１３】
本発明のスピーカシステム用の拡散器によれば、中間枠部の材質は、真鍮又は砲金であることも好ましい。
【００１４】
本発明のスピーカシステム用の拡散器によれば、拡散平面板の材質は、真鍮であることも好ましい。
【００１５】
本発明によれば、前述したスピーカシステム用の拡散器の製造方法であって、
長手辺長が外枠部の周囲長と一致する長さであり、短手辺長が拡散平面板の長手辺長と一致する長さである長方形状の平面板を用いて、
平面板の第１の長手辺から、第２の長手辺へ向かって、拡散平面板の長手辺長だけ、該拡散平面板の短手辺長の幅で、短冊状に切り込みを入れる第１のステップと、
全ての短冊を、同一の角度に傾斜するべく曲げる第２のステップと、
スピーカユニットの開口部枠に沿って曲げる第３のステップと
を有することを特徴とする。
【００１６】
本発明のスピーカシステム用の拡散器の製造方法によれば、第１のステップについて、短冊状の切り込みは、平面板の第１の長手辺から直角方向へ、又は、斜め方向へ、入れられることも好ましい。
【発明の効果】
【００１７】
本発明のスピーカシステム用の拡散器及びその製造方法によれば、スピーカシステム自体の製造コストを高くすることなく、全指向的に音を拡散させることができる。
【図面の簡単な説明】
【００１８】
【図１】本発明における拡散器及びスピーカユニットの外観斜視図である。
【図２】本発明における拡散器の外観斜視図である。
【図３】スピーカユニットの発声方向に対する、拡散平面板の傾斜を表す説明図である。
【図４】スピーカユニットの音の指向性を表す説明図である。
【図５】本発明における拡散器の側面図及び断面図である。
【図６】本発明の拡散器の正面図及び背面図である。
【図７】本発明における拡散器の製造方法を表す説明図である。
【図８】筒状中間枠部を取り付けた拡散器の側面図及び断面図である。
【図９】筒状中間枠部を取り付けた拡散器及びスピーカユニットの外観斜視図である。
【図１０】円錐台形状中間枠部を取り付けた拡散器の側面図及び断面図である。
【図１１】円錐台形状中間枠部を取り付けた拡散器及びスピーカユニットの外観斜視図である。
【図１２】本発明におけるスピーカシステムの配置を表す説明図である。
【発明を実施するための形態】
【００１９】
以下、本発明の実施の形態について、図面を用いて詳細に説明する。
【００２０】
図１は、本発明における拡散器及びスピーカユニットの外観斜視図である。
【００２１】
図１（ａ）は、本発明における拡散器１と、既存のスピーカユニット２とを表す。ここで、拡散器１の外周と、スピーカユニット２の外周とは、一致している。スピーカユニット２の開口部は、一般に円又は楕円の形状であるために、その形状に沿って拡散器１の外周も形成される。
【００２２】
図１（ｂ）は、本発明における拡散器１が、既存のスピーカユニット２に取り付けられた状態の外観を表す。拡散器１は、スピーカユニット２の開口部前面に一体的に取り付けられる。このとき、拡散器１の外枠の中心と、スピーカユニット２の開口部の発声方向中心軸とが一致するように取り付けられる。
【００２３】
図２は、本発明における拡散器の外観斜視図である。
【００２４】
図２（ａ）は、拡散器全体の外観斜視図を表す。拡散器１は、外枠部１１と、拡散平面板１２と、緩衝部１３とから構成される。
【００２５】
外枠部１１は、スピーカユニット２の開口部枠に沿って取り付け可能な外周を有する。円状のスピーカユニットに取り付ける場合、外枠部１１も円状となる。
【００２６】
拡散平面板１２は、長方形状の複数の平面板である。複数の拡散平面板１２について、一方の端が外枠部１１の周囲内側に取り付けられ、他方の端が中心軸へ向かうように放射方向に向けられる。ここで、拡散平面板１２について、長手辺長が外枠部１１の周囲から当該拡散器１１の中心までの距離よりも短い。そのめに、拡散器１の中央に、開口部分を有する。
【００２７】
図２（ｂ）は、外枠部１１と拡散平面板１２とが一体的に折り曲げて構成された部分を表す。外枠部１１の周囲は、鋸状になっており、各刃は三角形状となっている。外枠部１１の三角形状の一辺から、拡散平面板１２として折り曲げることによって形成される。そのために、外枠部１１及び拡散平面板１２の材質は、曲げ加工が可能なものであって、例えば真鍮であるのが好ましい。真鍮は、銅及び亜鉛の合金からなる黄銅であって、外部から振動を与えることによって比較的高音を響かせる材質である。真鍮は、例えば管楽器にも用いられるものであって、音に対する親和性が高いと認識される。勿論、銅板、鉄板、ブリキ板等の材質のものであってもよい。尚、外枠部１１及び拡散平面板１２の材質は、勿論、プラスチックのような可塑性の材質であってもよい。但し、外枠部１１及び拡散平面板１２を鋳型によって一体的に成形する必要がある。
【００２８】
本発明によれば、拡散平面板１２は、中心軸へ向かう他方の端について、各拡散平面板同士が接触しないようにすることが好ましい。拡散平面板１２は、スピーカユニット２から受ける音波によって微妙に振動にしている。そのために、拡散平面板１２同士が接触した場合、互いに共振することとなり、スピーカユニットから発声される音自体に影響を与える。そこで、緩衝部１３を更に備える。
【００２９】
緩衝部１３は、拡散平面板１２における中心軸へ向かう他方の端について、各拡散平面板同士の間に挟んで固定される。緩衝部１３の材質は、木材、ＭＤＦ(Medium Density Fiber-Board)、プラスチックのようなものであって、できる限り音の振動を伝えないような材質であることが好ましい。
【００３０】
緩衝部１３は、例えばビーズ形状のものであることも好ましい。ビーズ形状とは、粒形状のものであって、各粒形状を連結することができるように通し穴を有する。図２によれば、拡散器１の中央の開口部分は、拡散平面板同士の間にビーズ状の緩衝部１３を介在させ、それら緩衝部１３を糸によって連結することよって構成される。
【００３１】
図３は、スピーカユニットの発声方向に対する、拡散平面板の傾斜を表す説明図である。
【００３２】
図３によれば、拡散平面板１２は、スピーカユニットの発声方向に対して所定の拡散角度（例えば６０°）を持って、傾斜して配置される。この場合、スピーカユニットから発声された音は、正面方向に対して、拡散角度だけ曲げて放射されることとなる。
【００３３】
一般に、スピーカシステムのエンクロージャは、木材又はＭＤＦによって構成されている。そこで、図３によれば、拡散平面板１２におけるスピーカユニット側向きの全面に、木材又はＭＤＦの薄板が接着されている。スピーカユニットから発声される音波が、拡散平面板１２の木材又はＭＤＦの薄板にぶつかることによって、拡散平面板１２自体の振動による音への影響を、できる限り軽減することができる。これによって、ユーザの聴覚的には、比較的やわからい音として感じられる。尚、薄板の木材は、竹のようなものであってもよい。更に、薄板の木材に漆を塗ることによって、比較的硬い表面に仕上げることもの好ましい。
【００３４】
図４は、スピーカユニットの音の指向性を表す説明図である。
【００３５】
スピーカシステム３は、スピーカユニット２がエンクロージャに組み込まれて構成されている。また、スピーカシステム３のスピーカユニット２の正面に、ユーザ（リスナー）が位置している。スピーカユニット２に拡散器１を取り付けた場合、スピーカユニット２から発声された音は、正面波及び側面拡散波として広がる。拡散器１の中央の開口部分から出た音波は、正面波としてユーザに伝わる。一方で、拡散器１の拡散平面板１２によって曲げられた音は、側面拡散波として広がる。
【００３６】
図４によれば、正面波は、直接的にユーザに伝達されるが、側面拡散波は、天井及び床上に反射してユーザに伝達される。そのために、ユーザに到達した正面波と側面拡散波との間には、遅延が生じている。このように直接音及び反射音が疑似的に再現されることによって、ユーザは、ホールのような音の感覚を得る。特に、狭い室内では、微妙な音の到達時間の差によって、特に絃楽器などの立体感及び臨場感を感じることができる。
【００３７】
本発明で用いられるスピーカユニットは、「フルレンジスピーカ」であって且つ「モノラルスピーカ」であるのが好ましい。「フルレンジスピーカ」は、１つのスピーカユニットで、全帯域（５０Ｈｚ〜１５ｋＨｚ）をカバーする。また、「モノラルスピーカ」は、ステレオ方式と異なって、１つの音しか発声させない。「音」とは、一点の場所から全方位へ放射状に広がるものである。即ち、自然に近い音を再現するためには、１つのスピーカシステムから全方位へ放射状に広がるようにすることが好ましい。
【００３８】
図５は、本発明における拡散器の側面図及び断面図である。
【００３９】
図５によれば、外枠部１１に対する拡散平面板１２は、拡散器１の中心へ向かって上向きに曲げられている。そのために、拡散器１の側面及び断面は、台形状に見える。ここで、外枠部１１に対する拡散平面板１２の曲げ方によって、以下のように音の指向性を変えることができる。
（１）拡散平面板１２を拡散器１の中心へ向かうほど高くなるように曲げることによって、「拡散側面波における側面方向への指向性」が大きくなる。
（２）拡散平面板１２を拡散器１の中心へ向かうほど低く（平らに）なるように曲げることによって、「拡散側面波における正面方向への指向性」が大きくなる。
【００４０】
図６は、本発明の拡散器の正面図及び背面図である。
【００４１】
図６によれば、拡散器１の中央に開口部分がある。この開口部分は、拡散平面板１２の長手辺長によって決定される。拡散平面板の長手辺長、即ち、開口部分の大きさは、スピーカシステムの音の正面波の指向性に応じて決定される。
（１）音の正面波の指向性を大きくすると共に音の拡散側面波を小さくする場合、拡散平面板の長手辺長を短くする。これによって、拡散器１の中央の開口部分は、小さくなる。
（２）音の正面波の指向性を小さくすると共に音の拡散側面波を大きくする場合、拡散平面板の長手辺長を長くする。これによって、拡散器１の中央の開口部分は、大きくなる。
【００４２】
図７は、本発明における拡散器の製造方法を表す説明図である。
【００４３】
図７（ａ）は、長方形状の平面板であって、１枚の平面板によって外枠部１１及び拡散平面板１２を形成する。この平面板は、以下のような寸法を有する。
（１）長手辺長が、外枠部の周囲長と一致する長さである。
（２）短手辺長が、拡散平面板の長手辺長と一致する長さである。但し、この短手辺長（拡散平面板の長手辺長）は、外枠部の周囲から中心までの距離よりも短い。
【００４４】
図７（ａ）によれば、具体的に直径１００ｍｍの円状のスピーカユニットに対応する拡散器を形成している。そのために、実際に以下の寸法を有する。
（１）長手辺長が、外枠部の周囲長３１４ｍｍ（＝直径×π）と一致する長さである。
（２）短手辺長（拡散平面板の長手辺長）は、外枠部の周囲から中心までの距離（半径５０ｍｍ）よりも短い。
【００４５】
図７（ａ）の例によれば、この平面板を用いて、以下のステップによって拡散器を形成する。尚、平面板は、加工を容易にするために、真鍮のような材質であることが好ましい。
（ステップ１）平面板の第１の長手辺から、第２の長手辺へ向かって、拡散平面板の長手辺長だけ、その拡散平面板の短手辺長の幅で、短冊状に切り込みを入れる。図７（ａ）によれば、平面板の第１の長手辺から、第２の長手辺の上に７ｍｍの位置まで、斜めに切り込みが入れられている。短冊状の切り込みは、平面板の第１の長手辺から直角方向であってもよいし、図７（ａ）のように斜め方向であってもよい。あくまで、拡散平面板の拡散角度に応じて、短冊の切り込み角度を決定する。尚、平面板の第１の長手辺から５ｍｍの位置には、短冊毎に、ビーズ状の緩衝部１３を連結させる糸を通すための穴が設けられている。
【００４６】
（ステップ２）全ての短冊を、同一の角度に傾斜するべく曲げる（図７（ｂ）参照）。
【００４７】
（ステップ３）最後に、スピーカユニット２の開口部枠に沿って、平面板全体を曲げる（図７（ｃ）参照）。そして、平面板の両端は、接合（溶接又は接着）される。
【００４８】
図８は、筒状中間枠部を取り付けた拡散器の側面図及び断面図である。
図９は、筒状中間枠部を取り付けた拡散器及びスピーカユニットの外観斜視図である。
【００４９】
筒状中間枠部１４は、筒状のものであって、筒軸方向に向かって所定長の幅を有する。これによって、スピーカユニット２から所定長だけ筒軸方向に伸長した位置から、拡散側面波を放射させることができる。これは、スピーカユニット周囲のエンクロージャに、拡散側面波がぶつかることを回避することにつながる。図８及び図９によれば、拡散器１の外枠部１１の外周は、スピーカユニット２の開口部枠と等しい。
【００５０】
図１０は、円錐台形状中間枠部を取り付けた拡散器の側面図及び断面図である。
図１１は、円錐台形状中間枠部を取り付けた拡散器及びスピーカユニットの外観斜視図である。
【００５１】
円錐台形状中間枠部１５は、円錐台形状のものであって、筒軸方向に向かって所定長の長さを有する。円錐台形状中間枠部１５の形状によって、「フロントロードホーン」の効果を有する。フロントロードホーンとは、スピーカユニットの前面にラッパ状の曲面をいう。これによって、スピーカユニットから拡散器までの指向性をコントロールできる点で効果がある。
【００５２】
図１０及び図１１によれば、拡散器１の外枠部１１の外周は、スピーカユニット２の開口部枠よりも大きい。即ち、円錐台形状中間枠部１５は、一方の端の外周が、外枠部１１の外周に沿ったものであり、他方の端の外周が、スピーカユニット２の開口部枠に沿ったものである。
【００５３】
前述した筒状又は円錐台形状の中間枠部１５の材質は、真鍮又は砲金（ほうきん）であることも好ましい。砲金とは、銅及び錫（すず）の合金からなる青銅であって、鋳造性が良い材質である。砲金も、一部の管楽器にも用いられており、音に対する親和性が高いと認識される。尚、中間枠部１５の材質は、勿論、プラスチックのような可塑性の材質であってもよい。
【００５４】
尚、様々なサイズの円錐台形状中間枠部１５を用意することよって、拡散器のサイズを変更することなく、スピーカユニットの様々な外周に合わせて、拡散器を取り付けることができる。
【００５５】
図１２は、本発明におけるスピーカシステムの配置を表す説明図である。
【００５６】
図１２（ａ）は、本発明の拡散器を取り付けたスピーカユニットを、床上に配置した場合における音の指向性を表す。床上に配置されたスピーカユニットによれば、拡散角度に基づく斜め上方向へ、全指向的に音を拡散させることができる。例えば、本発明に基づくスピーカユニットを床上に設置していても、斜め上方向へ発声された音を、比較的遠方の距離まで伝達させることができる。
【００５７】
図１２（ｂ）は、本発明の拡散器を取り付けたスピーカユニットを、天井に配置した場合における音の指向性を表す。天井に配置されたスピーカユニットによれば、拡散角度に基づく斜め下の方向へ、全指向的に音を拡散させることができる。例えば、本発明に基づくスピーカユニットを、照明器具のように天井から吊すことによって、全指向的に斜め下向きに音を拡散させるができる。
【００５８】
以上、詳細に説明したように、本発明のスピーカシステム用の拡散器及びその製造方法によれば、スピーカシステム自体の製造コストを高くすることなく、全指向的に音を拡散させることができる。
【００５９】
本発明の拡散器は、既存のスピーカシステムに容易に取り付け可能である。また、本発明の拡散器を取り付けたスピーカシステムは、極めてシンプルな外観であって、且つ、スピーカユニットを想到させない極めて斬新な機能美を備えた工業デザインを有する。
【００６０】
本願発明の拡散器をスピーカユニットに取り付けることによって、音の指向性を全方向に放射することができると共に、ユーザは、音の定位が定まった音を聴くことができる。また、本願発明の拡散器は、広域且つ全方位へ音を伝達させるような放送システム用のスピーカシステムにも適する。
【００６１】
尚、従来技術に基づく全指向型のスピーカシステムによれば、スピーカシステム全体の構造に基づくために、そのデザイン自体にも影響を及ぼす場合が多い。これに対し、本発明の拡散器は、既存のスピーカユニットに容易に取り付け可能であって、全指向型で音を響かせることができる。
【００６２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６３】
１  拡散器
１１  外枠部
１２  拡散平面板
１３  緩衝部
１４  筒状中間枠部
１５  円錐台形状中間枠部
２  スピーカユニット
３  スピーカシステム
【図１】
2013021575.tif 000003
【図２】
2013021575.tif 000004
【図３】
2013021575.tif 000005
【図４】
2013021575.tif 000006
【図５】
2013021575.tif 000007
【図６】
2013021575.tif 000008
【図７】
2013021575.tif 000009
【図８】
2013021575.tif 000010
【図９】
2013021575.tif 000011
【図１０】
2013021575.tif 000012
【図１１】
2013021575.tif 000013
【図１２】
2013021575.tif 000014
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
スピーカユニットの開口部枠に沿って取り付け可能な外枠であって、該外枠の中心と、前記スピーカユニットの開口部の発声方向の中心軸とが一致するように取り付け可能な外枠部と、
長手辺長が前記外枠部の周囲から中心までの距離よりも短い、長方形状の複数の平面板を用いて、該平面板の一方の端が前記外枠部の周囲内側に取り付けられ、他方の端が前記中心軸へ向かうように放射方向に向けられた複数の拡散平面板と
を有し、
前記拡散平面板は、前記スピーカユニットの発声方向に対して所定の拡散角度を持って、傾斜して配置されたスピーカシステム用の拡散器の製造方法であって、
前記外枠部の周囲長と一致する長手辺長と、前記拡散平面板の長手辺長と一致する短手辺長とを有する長方形状の平面板を用いて、
前記平面板の第１の長手辺から、第２の長手辺へ向かって、前記拡散平面板の長手辺長だけ、該拡散平面板の短手辺長の幅で、短冊状に切り込みを入れる第１のステップと、
全ての短冊を、同一の角度に傾斜するべく曲げると共に、前記スピーカユニットの開口部枠に沿って曲げる第２のステップと
を有することを特徴とするスピーカシステム用の拡散器の製造方法。
【請求項２】
第１のステップについて、前記短冊状の切り込みは、前記平面板の第１の長手辺から直角方向へ、又は、斜め方向へ、入れられることを特徴とする請求項１に記載のスピーカシステム用の拡散器の製造方法。
【請求項３】
前記拡散平面板は、前記中心軸へ向かう他方の端について、各拡散平面板同士が接触しないように配置されることを特徴とする請求項１又は２に記載のスピーカシステム用の拡散器の製造方法。
【請求項４】
前記拡散平面板における前記中心軸へ向かう他方の端について、各拡散平面板同士の間に緩衝部材を挟んで固定することを特徴とする請求項３に記載のスピーカシステム用の拡散器の製造方法。
【請求項５】
前記拡散平面板における前記スピーカユニット側向きの全面に、木材又はＭＤＦ(Medium Density Fiber-Board)の薄板が接着されていることを特徴とする請求項１から４のいずれか１項に記載のスピーカシステム用の拡散器の製造方法。
【請求項６】
前記スピーカシステムの音の正面波の指向性に応じて、前記拡散平面板の長手辺長が決定されるものであって、
音の正面波の指向性を大きくすると共に音の拡散側面波を小さくする場合、前記拡散平面板の長手辺長を短くし、
音の正面波の指向性を小さくすると共に音の拡散側面波を大きくする場合、前記拡散平面板の長手辺長を長くする
ことを特徴とする請求項１から５のいずれか１項に記載のスピーカシステム用の拡散器の製造方法。
【請求項７】
前記外枠部には、中間枠部を介して、前記スピーカユニットの開口部枠に取り付け可能であって、
前記中間枠部は、
筒軸方向に向かって所定長の幅を有し、
一方の端の外周が、前記外枠部の外周に沿ったものであり、他方の端の外周が、前記スピーカユニットの開口部枠に沿ったものであり、
前記外枠部の外周は、前記スピーカユニットの開口部枠よりも大きいか又は等しい
ことを特徴とする請求項１から６のいずれか１項に記載のスピーカシステム用の拡散器の製造方法。
【請求項８】
前記中間枠部の材質は、真鍮又は砲金であることを特徴とする請求項７に記載のスピーカシステム用の拡散器の製造方法。
【請求項９】
前記外枠部及び前記拡散平面板の材質は、真鍮であることを特徴とする請求項１から８のいずれか１項に記載のスピーカシステム用の拡散器の製造方法。
【手続補正３】
【補正対象書類名】明細書
【補正対象項目名】０００７
【補正方法】変更
【補正の内容】
【０００７】
本発明によれば、スピーカユニットの開口部枠に沿って取り付け可能な外枠であって、該外枠の中心と、スピーカユニットの開口部の発声方向の中心軸とが一致するように取り付け可能な外枠部と、
長手辺長が外枠部の周囲から中心までの距離よりも短い、長方形状の複数の平面板を用いて、該平面板の一方の端が外枠部の周囲内側に取り付けられ、他方の端が中心軸へ向かうように放射方向に向けられた複数の拡散平面板と
を有し、
拡散平面板は、スピーカユニットの発声方向に対して所定の拡散角度を持って、傾斜して配置されたスピーカシステム用の拡散器の製造方法であって、
外枠部の周囲長と一致する長手辺長と、拡散平面板の長手辺長と一致する短手辺長とを有する長方形状の平面板を用いて、
平面板の第１の長手辺から、第２の長手辺へ向かって、拡散平面板の長手辺長だけ、該拡散平面板の短手辺長の幅で、短冊状に切り込みを入れる第１のステップと、
全ての短冊を、同一の角度に傾斜するべく曲げると共に、スピーカユニットの開口部枠に沿って曲げる第２のステップと
を有することを特徴とする。
また、本発明のスピーカシステム用の拡散器の製造方法における他の実施形態として、第１のステップについて、短冊状の切り込みは、平面板の第１の長手辺から直角方向へ、又は、斜め方向へ、入れられることも好ましい。
【手続補正４】
【補正対象書類名】明細書
【補正対象項目名】０００８
【補正方法】変更
【補正の内容】
【０００８】
本発明のスピーカシステム用の拡散器の製造方法によれば、拡散平面板は、中心軸へ向かう他方の端について、各拡散平面板同士が接触しないように配置されることも好ましい。
【手続補正５】
【補正対象書類名】明細書
【補正対象項目名】０００９
【補正方法】変更
【補正の内容】
【０００９】
本発明のスピーカシステム用の拡散器の製造方法によれば、拡散平面板における中心軸へ向かう他方の端について、各拡散平面板同士の間に緩衝部材を挟んで固定することも好ましい。
【手続補正６】
【補正対象書類名】明細書
【補正対象項目名】００１０
【補正方法】変更
【補正の内容】
【００１０】
本発明のスピーカシステム用の拡散器の製造方法によれば、拡散平面板におけるスピーカユニット側向きの全面に、木材又はＭＤＦ(Medium Density Fiber-Board)の薄板が接着されていることも好ましい。
【手続補正７】
【補正対象書類名】明細書
【補正対象項目名】００１１
【補正方法】変更
【補正の内容】
【００１１】
本発明のスピーカシステム用の拡散器の製造方法によれば、
スピーカシステムの音の正面波の指向性に応じて、拡散平面板の長手辺長が決定されるものであって、
音の正面波の指向性を大きくすると共に音の拡散側面波を小さくする場合、拡散平面板の長手辺長を短くし、
音の正面波の指向性を小さくすると共に音の拡散側面波を大きくする場合、拡散平面板の長手辺長を長くすることも好ましい。
【手続補正８】
【補正対象書類名】明細書
【補正対象項目名】００１２
【補正方法】変更
【補正の内容】
【００１２】
本発明のスピーカシステム用の拡散器の製造方法によれば、外枠部には、中間枠部を介して、スピーカユニットの開口部枠に取り付け可能であって、
中間枠部は、
筒軸方向に向かって所定長の幅を有し、
一方の端の外周が、外枠部の外周に沿ったものであり、他方の端の外周が、スピーカユニットの開口部枠に沿ったものであり、
外枠部の外周は、スピーカユニットの開口部枠よりも大きいか又は等しい
ことも好ましい。
【手続補正９】
【補正対象書類名】明細書
【補正対象項目名】００１３
【補正方法】変更
【補正の内容】
【００１３】
本発明のスピーカシステム用の拡散器の製造方法によれば、中間枠部の材質は、真鍮又は砲金であることも好ましい。
【手続補正１０】
【補正対象書類名】明細書
【補正対象項目名】００１４
【補正方法】変更
【補正の内容】
【００１４】
本発明のスピーカシステム用の拡散器の製造方法によれば、外枠部及び拡散平面板の材質は、真鍮であることも好ましい。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明のスピーカシステム用の拡散器の製造方法によれば、スピーカシステム自体の製造コストを高くすることなく、全指向的に音を拡散させることができる。
【手続補正１４】
【補正対象書類名】明細書
【補正対象項目名】００５８
【補正方法】変更
【補正の内容】
【００５８】
以上、詳細に説明したように、本発明のスピーカシステム用の拡散器の製造方法によれば、スピーカシステム自体の製造コストを高くすることなく、全指向的に音を拡散させることができる。